【手続補正書】
【提出日】平成16年4月27日(2004.4.27)
【手続補正１】
【補正対象書類名】明細書
【補正対象項目名】特許請求の範囲
【補正方法】変更
【補正の内容】
【特許請求の範囲】
【請求項１】
ＩＥＥＥ１３９４規格のデジタルインタフェースを介してデータを伝送する伝送装置において、
前記データのうちの２，０４８バイトのパックを、前記ＩＥＥＥ１３９４規格のアイソコロナス通信で伝送される少なくとも１つのパケットに変換する変換手段と、
前記パケットを伝送する伝送手段と
を備えることを特徴とする伝送装置。
【請求項２】
前記データは、ＭＰＥＧ−ＰＳ形式のデータである
ことを特徴とする請求項１に記載の伝送装置。
【請求項３】
前記変換手段は、前記２，０４８バイトのパック、４の倍数のバイト長であるタイムスタンプ、および、４の倍数のバイト長であるパディングデータで構成されるデータを、２の倍数である分割数で分割することにより、４の倍数のバイト長であるデータブロックを生成し、所定の数のデータブロックを１つの前記パケットで伝送されるデータとして、前記パケットを生成する
ことを特徴とする請求項１に記載の伝送装置。
【請求項４】
前記パディングデータのバイト長は、４の倍数であり、
前記パディングデータのバイト長と、前記パックのバイト長である２，０４８と、前記タイムスタンプのバイト長の総和を前記分割数で除算した値は、４の倍数である
ことを特徴とする請求項３に記載の伝送装置。
【請求項５】
前記変換手段は、前記分割数と前記パディングデータのバイト長を、前記パケットのＣＩＰヘッダのＦＤＦ領域に書き込む
ことを特徴とする請求項３に記載の伝送装置。
【請求項６】
前記変換手段は、前記分割数と前記パディングデータのバイト長を、前記パケットのＣＩＰヘッダのＦＮ領域、ＱＰＣ領域、および、ＦＤＦ領域に書き込む
ことを特徴とする請求項３に記載の伝送装置。
【請求項７】
前記変換手段は、前記分割数を８以下とし、前記パディングデータのバイト長を２７以下として、前記パックを前記パケットに変換する
ことを特徴とする請求項３に記載の伝送装置。
【請求項８】
前記変換手段は、前記分割数をＦＮとし、１パケットあたりのデータブロック数をＤＢとし、供給されるデータのレートをＲビット／秒としたとき、前記分割数および１パケットあたりのデータブロック数を、条件
｛（２，０４８×８／（１２５×１０-6））／ＦＮ｝×ＤＢ≧Ｒ
を満足するＦＮおよびＤＢにそれぞれ設定する
ことを特徴とする請求項３に記載の伝送装置。
【請求項９】
前記変換手段は、前記２，０４８バイトのパックと、４の倍数のバイト長であるパディングデータで構成されるデータを、第１の分割数で分割し、分割したデータに、４の倍数のバイト長のタイムスタンプをそれぞれ付加して、１６の倍数のバイト長のソースパケットを生成し、さらに、前記ソースパケットを、２の倍数である第２の分割数でそれぞれ分割することにより、４の倍数のバイト長であるデータブロックを生成し、所定の数のデータブロックを１つの前記パケットで伝送されるデータとして、前記パケットを生成する
ことを特徴とする請求項１に記載の伝送装置。
【請求項１０】
前記変換手段は、前記パディングデータのバイト長を、前記パケットのＣＩＰヘッダのＦＤＦ領域に書き込む
ことを特徴とする請求項９に記載の伝送装置。
【請求項１１】
前記変換手段は、前記第１および第２の分割数をそれぞれＦＮ1、ＦＮ2とし、１パケットあたりのデータブロック数をＤＢとし、供給されるデータのレートをＲビット／秒としたとき、前記第１および第２の分割数並びに１パケットあたりのデータブロック数を、条件
｛（２，０４８×８／（１２５×１０-6））／（ＦＮ1×ＦＮ2）｝×ＤＢ≧Ｒを満足するＦＮ1およびＦＮ2並びにＤＢにそれぞれ設定する
ことを特徴とする請求項９に記載の伝送装置。
【請求項１２】
前記変換手段は、前記２，０４８バイトのパックを、２の倍数である分割数で分割し、４の倍数のバイト長であるデータブロックを生成し、所定の数のデータブロックを、１つの前記パケットで伝送されるデータとして前記パケットを生成するとともに、タイムスタンプを、前記パケットのＣＩＰヘッダのＳＹＴ領域に書き込む
ことを特徴とする請求項１に記載の伝送装置。
【請求項１３】
前記変換手段は、前記分割数をＦＮとし、１パケットあたりのデータブロック数をＤＢとし、供給されるデータのレートをＲビット／秒としたとき、分割数および１パケットあたりのデータブロック数を、条件
｛（２，０４８×８／（１２５×１０-6））／ＦＮ｝×ＤＢ≧Ｒ
を満足するＦＮおよびＤＢにそれぞれ設定する
ことを特徴とする請求項１２に記載の伝送装置。
【請求項１４】
前記変換手段は、前記２，０４８バイトのパックから構成されるデータを、２の倍数である第１の分割数で分割し、分割したデータに、４の倍数のバイト長のタイムスタンプと、４の倍数のバイト長のパディングデータをそれぞれ付加して、ソースパケットを生成し、さらに前記ソースパケットを、２の倍数である第２の分割数で分割することにより、４の倍数のバイト長であるデータブロックを生成し、所定の数のデータブロックを１つの前記パケットで伝送されるデータとして、前記パケットを生成する
ことを特徴とする請求項１に記載の伝送装置。
【請求項１５】
前記パケットを構成する前記データブロックのうちの最初のデータブロックの通し番号を、前記パケットのＣＩＰヘッダのＤＢＣ領域に書き込む
ことを特徴とする請求項１４に記載の伝送装置。
【請求項１６】
前記変換手段は、前記第１の分割数を、前記パケットのＣＩＰヘッダのＦＮ領域に書き込み、前記パディングデータのバイト長を、前記パケットのＣＩＰヘッダのＱＰＣ領域に書き込む
ことを特徴とする請求項１４に記載の伝送装置。
【請求項１７】
ＩＥＥＥ１３９４規格のデジタルインタフェースを介してデータを伝送する伝送方法において、
前記データのうちの２，０４８バイトのパックを、前記ＩＥＥＥ１３９４規格のアイソコロナス通信で伝送される少なくとも１つのパケットに変換するステップと、
前記パケットを伝送するステップと
を備えることを特徴とする伝送方法。
【請求項１８】
ＩＥＥＥ１３９４規格のデジタルインタフェースを介して伝送されてくるデータを受信する受信装置において、
前記ＩＥＥＥ１３９４規格のアイソコロナス通信で伝送されてくるパケットを受信する受信手段と、
前記受信手段により受信された少なくとも１つのパケットから、２，０４８バイトのパックを復元する復元手段と
を備えることを特徴とする受信装置。
【請求項１９】
ＩＥＥＥ１３９４規格のデジタルインタフェースを介して伝送されてくるデータを受信する受信方法において、
前記ＩＥＥＥ１３９４規格のアイソコロナス通信で伝送されてくるパケットを受信するステップと、
受信した少なくとも１つのパケットから、２，０４８バイトのパックを復元するステップと
を備えることを特徴とする受信方法。
【手続補正２】
【補正対象書類名】明細書
【補正対象項目名】００２５
【補正方法】変更
【補正の内容】
【００２５】
請求項１９に記載の受信方法は、ＩＥＥＥ１３９４規格のアイソコロナス通信で伝送されてくるパケットを受信するステップと、受信した少なくとも１つのパケットから、２，０４８バイトのパックを復元するステップとを備えることを特徴とする。
【手続補正３】
【補正対象書類名】明細書
【補正対象項目名】００２９
【補正方法】変更
【補正の内容】
【００２９】
請求項１９に記載の受信方法においては、ＩＥＥＥ１３９４規格のアイソコロナス通信で伝送されてくるパケットを受信し、受信した少なくとも１つのパケットから、２，０４８バイトのパックを復元する。
【手続補正４】
【補正対象書類名】明細書
【補正対象項目名】０１７７
【補正方法】変更
【補正の内容】
【０１７７】
請求項１８に記載の受信装置および請求項１９に記載の受信方法によれば、ＩＥＥＥ１３９４規格のアイソコロナス通信で伝送されてくるパケットを受信し、受信した少なくとも１つのパケットから、２，０４８バイトのパックを復元するようにしたので、２，０４８バイトのデータをＩＥＥＥ１３９４規格のデジタルインタフェースを利用して通信することができる。